(57)【要約】  ファントムに近接したユーザー装置における、当該ユーザー装置の全放射電力を決定する方法は、予め設定された基準に応じて、ファントムの特性を取得すること、ユーザー装置のアンテナの特性を取得すること、およびユーザー装置の無線特性を取得することを含む。この方法は、また、ファントムの特性、アンテナの特性、および無線特性をテスト装置に送信することを含むことができる。
2018509091.tif 000002
【特許請求の範囲】
【請求項１】
ファントムに近接するユーザー装置における、当該ユーザー装置の全放射電力を決定する方法であって、
予め設定された基準に応じて、
前記ファントムの特性を取得すること、
前記ユーザー装置のアンテナの特性を取得すること、
前記ユーザー装置の無線特性を取得すること、
前記ファントムの特性、前記アンテナの特性、および前記無線特性をテスト装置に送信すること、を含む、方法。
【請求項２】
トリガー測定条件を検出すること、
前記トリガー測定条件の検出に応じて、前記取得ステップおよび前記送信ステップを実行することをさらに含む、請求項１に記載の方法。
【請求項３】
前記トリガー測定条件は、サービングセルから前記テスト装置に向かって移動するユーザー装置である、請求項２に記載の方法。
【請求項４】
前記基準が単一イベントである、請求項２に記載の方法。
【請求項５】
前記基準は、定期的なイベントである、請求項２に記載の方法。
【請求項６】
前記ファントムに対する前記ユーザー装置の複数の異なる構成に対して、前記ファントムの特性の取得、前記アンテナの特性の取得、および前記無線特性の取得を繰り返すことをさらに含む、請求項１に記載の方法。
【請求項７】
前記複数の異なる構成は、前記ファントムに対する前記ユーザー装置の複数の異なる位置を含む、請求項６に記載の方法。
【請求項８】
前記ファントムは、頭部ファントムであり、
前記複数の異なる構成は、前記頭部ファントムに対する前記ユーザー装置の複数の異なる位置を含む、請求項６に記載の方法。
【請求項９】
前記ファントムは、手ファントムであり、
前記複数の異なる構成は、前記ファントムの握り内の前記ユーザー装置の複数の異なる位置を含む、請求項６に記載の方法。
【請求項１０】
前記複数の異なる構成は、データ通信モードおよび音声通信モードを含む、請求項６に記載の方法。
【請求項１１】
前記ファントムは、頭部ファントムであり、前記特性は、前記頭部ファントム上の前記ユーザー装置の頬部の配置である、請求項１に記載の方法。
【請求項１２】
前記ファントムは、手ファントムであり、前記特性は、前記手ファントム上の指の偏位である、請求項１に記載の方法。
【請求項１３】
テスト装置上における、ユーザー装置の全放射電力を決定する方法であって、
前記ユーザー装置からのレポートを要求すること、
前記要求に応じて、前記ユーザー装置に近接するファントムの特性、前記ユーザー装置のアンテナの特性、および前記ユーザー装置の無線特性を含むレポートを前記ユーザー装置から受信すること、
前記ファントムの特性、前記アンテナの特性、および前記無線特性が前記ユーザー装置の放射電力に及ぼす影響を決定すること、
前記ファントムの特性、前記アンテナの特性、および前記無線特性を考慮して全放射電力を計算すること、
更新されたファントムの特性、更新された無線特性、および更新されたアンテナの特性を検出または取得することを含む、方法。
【請求項１４】
テストが完了するまで、前記決定ステップ、前記計算ステップ、および前記検出ステップまたは前記取得ステップを繰り返すことをさらに含む、請求項１３に記載の方法。
【請求項１５】
前記ファントムは、頭部ファントムであり、前記特性は、前記頭部ファントム上の前記ユーザー装置の頬部の配置である、請求項１３に記載の方法。
【請求項１６】
前記ファントムは、手ファントムであり、前記特性は、前記手ファントム上の指の偏位である、請求項１３に記載の方法。
【請求項１７】
ユーザー装置であって、
アンテナと
メモリーと、
前記メモリーから命令を取り出し、前記命令を実行して、複数のステップを実行するプロセッサーと、を有し、
前記複数のステップは、
予め設定された基準に応じて、
ファントムの特性を取得すること、
ユーザー装置のアンテナの特性を取得すること、
前記ユーザー装置の無線特性を取得すること、
前記ファントムの特性、前記アンテナの特性、および前記無線特性をテスト装置に送信すること、を含む、ユーザー装置。
【請求項１８】
前記複数のステップは、
トリガー測定条件を検出すること、
前記トリガー測定条件の検出に応じて、前記取得ステップおよび前記送信ステップを実行することを含む、請求項１７に記載のユーザー装置。
【請求項１９】
前記トリガー測定条件は、サービングセルから前記テスト装置に向かって移動する前記ユーザー装置である、請求項１７に記載のユーザー装置。
【請求項２０】
前記複数のステップは、前記ファントムに対する前記ユーザー装置の複数の異なる構成に対して、前記ファントムの特性の取得、前記アンテナの特性の取得、および前記無線特性の取得を繰り返すことをさらに含む、請求項１７に記載のユーザー装置。
【発明の詳細な説明】
【技術分野】
【０００１】
フィールド
本発明は、概して無線装置の放射電力を測定することに関し、より詳細には、ファントムに近接する無線装置の放射電力を測定することに関する。
【背景技術】
【０００２】
背景
第３世代パートナーシッププロジェクト（３ＧＰＰ）は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）およびＬＴＥ（Ｌｏｎｇ  Ｔｅｒｍ  Ｅｖｏｌｕｔｉｏｎ）の標準化のための組織である。無線通信は絶え間なく進化している。以前には不可能だったサービスを提供できる多くの種類の先進的な技術装置が導入されている。この先進的な技術装置は、たとえば、従来の無線電気通信システムの同等の装置よりもさらに高度に進化した、拡張ノードＢ（ｅＮＢ）または他のシステムおよび装置を含むことができる。このような進歩したまたは次世代の装置は、本明細書では、ネットワークが進化ユニバーサル地上アクセスネットワーク（Ｅ−ＵＴＲＡＮ）としても知られている高速パケットアクセス（ＨＳＰＡ）装置、ＬＴＥと呼ばれ、下りリンクおよび上りリンクの両方において高いデータ速度に達することができる技術である。ＬＴＥでは、一定の特徴を伴って、２０ＭＨｚ、または最大１００Ｈｚのシステム帯域幅が可能である。携帯電話、携帯端末、ラップトップコンピューターに埋め込まれたデバイス、マシン・ツー・マシンデバイス（Ｍ２Ｍ）などの無線通信機能を備えたデバイスは、ここではユーザー装置（ＵＥ）または無線装置と呼ばれる。
【０００３】
異種ネットワーク（ＨｅｔＮｅｔ）は、様々な無線アクセス技術を有するインフラストラクチャポイント（ｉｎｆｒａｓｔｒｕｃｔｕｒｅ  ｐｏｉｎｔ）を含むネットワークであり、それぞれが異なる能力、制約、および動作機能を有する。典型的なＨｅｔＮｅｔには、マクロセル、リモート無線ヘッド、およびピコセル、フェムトセル、リレーなどの低電力ノードが混在している。
【０００４】
ネットワークトポロジを活用し、アクセスネットワークとエンドユーザ間の近接性を高めることで、無線ネットワークにおける次の重要な性能の飛躍を実現し、空間スペクトルの再利用を改善し、屋内のカバレッジを向上させる可能性がある。
【０００５】
異なるＵＥは、無線通信ネットワークにアクセスするために異なるタイプの無線アクセス技術（ＲＡＴ）を使用することがある。マルチモードＵＥと呼ばれるいくつかのＵＥは、複数のＲＡＴを使用して通信することができる。たとえば、マルチモードＵＥは、ＵＭＴＳの少なくとも１つのモード、およびＧＳＭ（登録商標）（移動通信のためのグローバルシステム）または他の無線システムのような１つ以上の異なる技術からサービスを得ることができるＵＥを含むことができる。本明細書で定義されるように、マルチモードＵＥは、３ＧＰＰ、技術仕様グループ（ＴＳＧ）端末、マルチモードＵＥ問題、カテゴリ、原則および手順（３Ｇ  ＴＲ２１．９１０）において定義または提供される任意の様々なタイプのマルチモードＵＥであり得る。異なるタイプのＲＡＴを使用することができるＲＡＴまたはネットワーク技術のいくつかの例には、ＵＴＲＡＮ（ＵＴＭＳ地上無線アクセスネットワーク）、ＧＳＭ（登録商標）、ＧＳＭ（登録商標）進化型高速データレート（ＥＤＧＥ）無線アクセスネットワーク（ＧＥＲＡＮ）、ワイヤレス・フィデリティ（ＷｉＦｉ）、汎用パケット無線サービス（ＧＰＲＳ）、高速ダウンリンクパケットアクセス（ＨＳＤＰＡ）、ＨＳＰＡ、およびＬＴＥを含む。これらのＲＡＴに基づく他のＲＡＴまたは他のネットワーク技術は、当業者によく知られている。
【０００６】
政府機関は、無線装置が放射することを許可される出力の大きさを頻繁に規制している。これは、無線デバイスの放射電力が他のデバイスと干渉する可能性があるためである。したがって、ワイヤレスデバイスメーカーは通常、そのようなデバイスの通常のテストプロセスの一部として、放射電力を測定する。
【０００７】
無線装置の放射電力を測定する少なくとも２つの異なる方法がある。１つの方法は等価等方放射電力（ＥＩＲＰ）を任意の方向に測定する方法である。もう一つは、全空間に放射される全放射電力（ＴＲＰ）を測定する方法である。ＥＩＲＰの測定は複雑で時間がかかると考えられる。その結果、ＴＲＰは通常ＥＩＲＰの代わりに測定される。
【０００８】
比吸収率（ＳＡＲ）もまた、無線デバイスの製造業者およびキャリアが考慮する必要のあるものである。ＳＡＲは、無線装置によって生成された無線周波数電磁場の曝露による人体への影響を測定するために使用される。ＳＡＲは、所与の時間にわたって無線装置を使用する人の曝露された組織の質量単位によって吸収される最大エネルギーの尺度である。換言すれば、単位質量あたりに吸収される電力である。例えば、異なるＳＡＲ性能要件を備えた音声およびデータ通信など、人体に対して多くの位置で使用されうる多くの無線デバイスタイプがある。
【０００９】
無線デバイスの無線（ＯＴＡ：ｏｖｅｒ−ｔｈｅ−ａｉｒ）性能は、通常、アンテナ性能に依存する。無線装置は人体に近接して使用されることが多いので、人体がアンテナの性能に影響を及ぼす可能性がある。無線装置のアンテナ性能を評価する目的で人体をシミュレートするために、擬似人体（ａｎｔｈｒｏｐｏｍｏｒｐｈｉｃ  ｈｕｍａｎ）（またはその一部）がしばしば使用される。本明細書で使用される「ファントム（ｐｈａｎｔｏｍ）」という用語は、擬似人体の１つ以上の部分を指す。無線装置は、典型的には、特定の擬人化マネキン（ＳＡＭ）頭部ファントムと呼ばれる人間の頭部モデルに隣接して、または頭部モデルに取り付けてテストされる。ＳＡＭは、人間の頭部による電波の遮断および反射および／または吸収の影響を考慮して設計されている。ＳＡＭファントムは国際電気標準会議（ＩＥＣ）によって標準化されている。
【００１０】
人が自分の頭の隣で無線装置を保持するとき、この位置はしばしば「音声通信モード」と呼ばれる。人が（たとえば、ウェブの閲覧のために）自分の手に無線装置を保持するとき、この位置はしばしば「データ通信モード」と呼ばれる。データ通信モードでは、無線装置のアンテナ性能は、人間の手によって影響を受ける可能性がある。データ通信モードは、手ファントムによってシミュレートされうる。手ファントムの形状と握りは、通信状態の前提に基づいていなければならない。ユーザーが無線装置をデータ通信モードで使用する場合、無線装置は、ユーザーが装置を音声通信モードで使用するよりも、ユーザーの身体から遠ざかる傾向がある。したがって、手のファントムは、データ通信モードに特有の姿勢を有するべきである。
【発明の概要】
【００１１】
概要
１つの態様は、ファントムに近接するユーザー装置において、ユーザー装置の全放射電力を決定する方法であって、予め定められた基準に応じて、ファントムの特性を取得し、ユーザー装置のアンテナの特性を取得し、ユーザー装置の無線特性を取得する。この方法はまた、上記ファントムの特性、上記アンテナの特性、および上記無線特性をテスト装置に送信することを含みうる。
【００１２】
この態様のいくつかの実施形態では、方法は、トリガー測定条件を検出し、上記トリガー測定条件の検出に応答して、取得ステップおよび送信ステップを実行する。
【００１３】
上記トリガー測定条件は、サービングセル（ｓｅｒｖｉｎｇ  ｃｅｌｌ）からテスト装置に向かって移動するユーザー装置であってもよい。
【００１４】
上記基準は、単一のイベントまたは定期的なイベントであってもよい。
【００１５】
いくつかの実施形態では、方法は、ファントムの特性の取得、アンテナの特性の取得、およびファントムに対するユーザー装置の異なる構成に対する無線特性の取得を繰り返すことをさらに含む。
【００１６】
上記異なる構成は、ファントムに対するユーザー装置の異なる位置であってもよい。
【００１７】
いくつかの実施形態では、ファントムは頭部ファントムであり、異なる構成は、頭部のファントムに対するユーザー装置の異なる位置である。
【００１８】
いくつかの実施形態では、ファントムは手ファントムであり、異なる構成は、ファントムの握り内のユーザー装置の異なる位置を含む。
【００１９】
いくつかの実施形態では、異なる構成は、データ通信モードおよび音声通信モードである。
【００２０】
いくつかの実施形態では、ファントムは頭部ファントムであり、特性は頭部ファントム上のユーザー装置の頬部の配置である。
【００２１】
いくつかの実施形態では、ファントムは手ファントムであり、特性は手ファントム上の指の偏位（ｄｅｆｌｅｃｔｉｏｎ）である。
【００２２】
別の態様は、テスト装置上で実行される、ユーザー装置の全放射電力を決定する方法である。この方法は、ユーザー装置からのレポートを要求することを含む。この要求に応答して、ユーザー装置から、そのユーザー装置に最も近いファントムの特性、ユーザー装置のアンテナの特性、およびユーザー装置の無線特性を含むレポートが受信される。ファントムの特性、アンテナの特性、及び無線特性がユーザー装置の放射電力に及ぼす影響が決定される。ファントムの特性、アンテナの特性、および無線特性を考慮した全放射電力が計算される。更新されたファントム特性、更新された無線特性、および更新されたアンテナ特性が検出または取得される。
【００２３】
いくつかの実施形態では、ユーザー装置の全放射電力を決定する方法は、テストが完了するまで、決定ステップ、計算ステップ、および検出ステップまたは取得ステップを繰り返すことも含む。
【００２４】
この方法のいくつかの実施形態では、ファントムは頭部ファントムであり、特性は頭部ファントム上のユーザー装置の頬部の配置である。
【００２５】
この方法のいくつかの実施形態では、ファントムは手ファントムであり、特性は手ファントム上の指の偏位である。
【００２６】
さらに別の態様では、アンテナ、メモリー、およびプロセッサーを含むユーザー装置が提供される。この実施形態では、プロセッサーは、メモリーから命令を読み出し、その指示を実行して（予め定められた基準に応じて）ファントムの特性を取得し、ユーザー装置のアンテナの特性を取得し、ユーザー装置の無線特性を取得し、ファントムの特性、アンテナの特性、および無線特性をテスト装置に送信するステップを含む。
【００２７】
いくつかの実施形態では、プロセッサーは、トリガー測定条件の検出に応答して、取得ステップおよび送信ステップを実行するトリガー測定条件も検出する。
【００２８】
いくつかの実施形態では、トリガー測定条件は、サービングセルからテスト装置に向かって移動するユーザー装置である。
【００２９】
いくつかの実施形態では、プロセッサーは、ファントムに対するユーザー装置の異なる構成に対して、ファントムの特性の取得、アンテナの特性の取得、および無線特性の取得を繰り返す。
【図面の簡単な説明】
【００３０】
図面の簡単な説明
添付の特許請求の範囲は、本技術の特徴を詳細に記載しているが、これらの技術は、それらの目的および利点とともに、添付の図面と併せて以下の詳細な説明から最もよく理解されるであろう。
【図１】図１は、本発明の一実施形態によるシステムのブロック図である。
【図２】図２は、一実施形態によるＵＥまたはテスト装置のブロック図である。
【図３】図３は、一実施形態による頭部ファントムの図である。
【図４】図４は、一実施形態による手ファントムの図である。
【図５】図５は、一実施形態による信号強度（ｓｉｇｎａｌ  ｓｔｒｅｎｇｔｈ）を測定する方法のフローチャートである。
【図６】図６は、一実施形態によるファントム、無線およびアンテナ特性情報を取得する方法のフローチャートである。
【図７】図７は、別の実施形態による、ファントム、無線およびアンテナ特性情報を取得する方法のフローチャートである。
【図８】図８は、一実施形態のトリガー測定条件の一例を示す図である。
【図９】図９は、一実施形態によるデータ送信の図である。
【図１０】図１０は、一実施形態におけるファントムの特性、無線特性およびアンテナ特性を取得する方法のフローチャートである。
【図１１】図１１は、一実施形態による無線テストシステムの受動的および能動的測定方法の実施形態を示す図である。
【発明を実施するための形態】
【００３１】
詳細な説明
様々な実施形態によれば、手または頭部ファントムに関連して、ファントムの特性、無線特性、およびアンテナの特性を使用して無線装置の全放射電力を測定する方法が提案される。
【００３２】
手または頭部ファントムに関連して、ファントムの特性、無線特性、およびアンテナの特性を使用して、無線装置の全放射電力を測定するシステムが提供される。上記システムは、１つ以上テスト装置、ＵＣＥおよびファントムを含むことができる。ＵＥは、複数のＲＡＴを介して通信することができるマルチモードＵＥであってもよい。マルチモードＵＥは、通信システムにおける信号強度の測定を促進するように構成されたプロセッサーを含むことができる。
【００３３】
このシステムの例示的な実施形態を図１に示す。この実施形態では、様々な実施形態を実施するために使用されうるシステム１００は、全体的に符号１００で示される。システム１００は、閉鎖された回転楕円体チャンバ１０１内に配置される。システム１００は、テスト装置１０２、ＵＥ１０４、およびファントム１１２を含む。一実施形態では、ＵＥ１０４は、複数のＲＡＴを介して通信することができるマルチモードＵＥである。テスト装置１０２には、アンテナ１０５および１０６によって表される１つ以上のアンテナ（たとえば、テスト装置１０２によって使用される各ＲＡＴに対する１つ）が結合される。ユーザー装置１０４は、アンテナ１０８および１１０によって表される１つ以上のアンテナ（たとえば、ユーザー装置１０４によって使用される各ＲＡＴに対する１つ）を含む。ユーザー装置１０４は、ファントム１１２に近接して配置される。テスト装置１０２およびユーザー装置１０４の一方または両方は、サービングセル１１４と通信し、近隣セル１１６の通信範囲内にあってもよい。
【００３４】
別の実施形態によれば、測定される無線装置から放射された電波は、無響室または残響チャンバから反射され、その後、無線装置の全放射電力が測定されるとともに受信アンテナ上に集中される。この実施形態もまた図１に示されている。ここで、チャンバ１０１は無響室または残響室である。テスト手順の間、ＵＥ１０４およびテスト装置１０２は、それぞれ、チャンバ１０１のそれぞれの焦点位置に配置され、ＵＥ１０４は、ファントム１１２に近接して配置される。ＵＥ１０４は、チャンバ１０１の内壁から反射する電波を放射する。これらの反射波は、テスト装置１０２の１つ以上のアンテナに集中する。次いで、テスト装置１０２は、ファントム１１２の１つ以上の特性、ＵＥ１０４のアンテナの１つ以上の特性、およびＵＥ１０４の１つ以上の無線特性を考慮に入れて、本明細書に記載される様々な方法に従ってＵＥ１０４のＴＲＰを測定する。テスト装置１０２は、ファントムの特性、無線特性、およびアンテナの特性に関する情報が入手可能となることにより、より正確な計算を行うことができ、ひいては放射電力の測定の改善につながる可能性がある。本実施形態のテストを行うことにより、ＵＥ１０４の性能を向上させることができる。
【００３５】
様々な実施形態において、テスト装置１０２およびユーザー装置１０４のうちの１つ以上は、図２の１つ以上の構成要素を含む。図２を参照する。図２に示すように、上記構成要素は、第１のＲＡＴを介してデータを送受信することができる第１のＲＡＴ送受信機２０２と、第２のＲＡＴを介してデータを送受信することができる第２のＲＡＴ送受信機２０４とを含む。第１のＲＡＴ送受信機２０２および第２のＲＡＴ送受信機２０４は、それぞれアンテナ１０５および１０６、または１０８および１１０にリンクされる。図２の構成要素は、さらに（ハードウェア）プロセッサー２０６、メモリー２０８、およびユーザインターフェース装置２１０（たとえば、タッチスクリーン・ディスプレイおよび物理ボタンのうちの１つ以上）、およびネットワークインターフェース２１２をさらに含む。これらの各要素は、互いに通信可能に１つ以上のデータ経路２１４を介して接続される。データ経路の例には、配線、マイクロチップ上の導電経路、および無線接続が含まれる。一実施形態では、図２のすべての構成要素は、ハウジング２１６内に封入されている。
【００３６】
テスト装置１０２またはユーザー装置１０４の動作中、送受信機２０２および２０４の１つ以上は、プロセッサー２０６からデータを受信し、データを表す無線周波数信号をアンテナ１０５，１０６，１０８，および１１０の１つ以上を介して送信する。同様に、１つ以上の送受信機２０２および２０４は、１つ以上のアンテナ１０５，１０６，１０８、および１１０を介して無線周波数信号を受信し、上記信号を適切にフォーマットされたデータに変換し、そのデータをプロセッサー２０６に供給する。プロセッサー２０６は、メモリー２０８から命令を取り出し、それらの命令に基づいて、１つ以上の送受信機２０２および２０４に発信データを提供するか、送受信機２０２および２０４のからの受信データを受信する。同様に、命令に基づいて、プロセッサー２０６は、たとえば、本明細書で説明した様々な測定を行い、通信システムにおける信号強度の測定を推進するために、本明細書で開示した様々なレポートを送信するなど、本明細書で開示した１つ以上の様々な方法を実行する。
【００３７】
プロセッサー２０６は、コンピューター、マイクロプロセッサー、マイクロコントローラー、一組の周辺集積回路素子、集積回路（たとえば、特定用途向け集積回路）、ハードウェア／電子論理回路（たとえば、ディスクリート素子回路）、プログラマブルロジックデバイス（たとえば、プログラマブルロジックアレイ）、またはフィールドプログラマブルゲートアレイであってもよい。
【００３８】
メモリー２０８の可能な実装には、揮発性メモリー、不揮発性メモリー、電気、磁気光学メモリー、ランダムアクセスメモリー（ＲＡＭ）、キャッシュ、およびハードディスクが含まれる。
【００３９】
図３を参照すると、ファントム１１２の実施形態が示されている。この実施形態のファントムは、頭部ファントム３００である。頭部ファントム３００は、頬部３０２と、左耳部３０４と、右耳部３０６と、口部３０８とを含む。ヘッドファントム３００は、一実施形態では、テスト装置１０２とＵＥ１０４の両方に知られているＸＹ座標系に配置されている。左耳部分３０４、右耳部分３０６、および口部分３０８に関するＵＥ１０４の方向は、Ｘ軸３１０に沿う＋Ｘ方向およびＹ軸３１２に沿う＋Ｙ方向として定義される。一実施形態では、ＵＥ１０４は、音声通信モードで頭部ファントム３００に結合される。
【００４０】
頭部ファントム３００の可能な特性には、表１に示すものが含まれる。
【００４１】
【表１】
2018509091.tif 000003
【００４２】
図４を参照すると、ファントム１１２の別の実施形態が示されている。この実施形態のファントムは、手ファントム４００である。手ファントム４００は、親指部分４０２、人差し指部分４０４、中指部分４０６、薬指部分４０８、および小指部分４１０を含み、無線装置を保持するためのＸＹ座標系において、人差し指の偏位の方向は、２ｍｍおよび５ｍｍの範囲内における、Ｘ軸４１２に沿った＋Ｘ方向及びＹ軸４１４に沿った＋Ｙ方向として定義される。一実施形態では、手の握り（ｈａｎｄ  ｇｒｉｐ）の方向は、Ｘ軸４１２に沿う＋Ｘ方向およびＹ軸４１４に沿う＋Ｙ方向として定義される。一実施形態において、座標系は、テスト装置１０２およびＵＥ１０４の両方に知られている。
【００４３】
手ファントム４００の可能な特性（指の特性を含む）には、表２および表３に示すものが含まれる。
【００４４】
【表２】
2018509091.tif 000004
【００４５】
【表３】
2018509091.tif 000005
【００４６】
次に、図５を参照して、一実施形態における信号強度を測定するために、たとえばＵＥ１０４によって実行される方法について説明する。ブロック５００において、パイロット強度が測定される。たとえば、ＵＥは、先進技術ネットワーク（たとえば、ＬＴＥネットワーク）からのパイロット信号の強度を測定することができる。ブロック５０２において、ＵＥのためのレポート構成（ｒｅｐｏｒｔｉｎｇ  ｃｏｎｆｉｇｕｒａｔｉｏｎ）が設定される。たとえば、ＵＥ１０４は、ファントム１１２の１つ以上の特性、ＵＥ１０４の１つ以上のアンテナの特性（または複数の特性）、およびＵＥ１０４が経験した１つ以上の無線特性をレポートするように構成される。ＵＥにレポートを送信させる基準は、定期的なイベントでもよいし、単一のイベントでもよい。ブロック５０４において、ＵＥは、干渉レポートを受信するように構成される。たとえば、ＵＥ（たとえば、ＵＥ１０４）は、サービングセルおよび隣接セル（隣接セル１１６など）から、ＵＥによって受信された測定値に基づいて、サービングセルにそのＵＥの干渉能力を通知するために、サービングセル（サービングセル１１４など）に通知するレポートを受信するように構成される。
【００４７】
図６を参照して、一実施形態に係るＵＥ１０４からのファントムの特性、無線特性およびアンテナの特性を取得するために、テスト装置１０２によって実行される方法について説明する。ブロック６００において、テスト装置１０４は、ＵＥ１０４からのファントムの特性、無線特性、およびアンテナの特性を要求する。ＵＥ１０４は、ファントム１１２の１つ以上の特性を決定し、ＵＥ１０４の無線特性を取得し、ＵＥ１０４の１つ以上のアンテナのアンテナ特性を取得し、これらの３つの情報を（たとえば、ＯＴＡ送信のレポート内の）テスト装置１０２に送信することによって応答する。ブロック６０２において、テスト装置１０２は、要求されたファントムの特性、無線特性、およびアンテナの特性（すなわち、レポート内）を受信する。ブロック６０４において、テスト装置１０２は、ＵＥ１０４のＴＲＰに関する、ファントムの特性、無線特性、およびアンテナの特性の影響を決定する（たとえば、これらの特性からなるＴＲＰの計算をどのように調整するかを決定する）。ブロック６０６において、テスト装置１０２は、ファントムの特性、無線特性およびアンテナの特性に照らして、ＵＥ１０４のＴＲＰを計算する。いくつかの実施形態では、ブロック６０７において、ファントムに対するＵＥ１０４の位置が変更される。ブロック６０８において、テスト装置６０８は、更新されたファントムの特性、無線特性、およびアンテナの特性を、たとえば、ＵＥ１０４から受信した後続のレポートから、またはテスト装置１０２におけるユーザーによる入力から、検出または取得する。ブロック６１０において、テスト装置１０２は、テスト（たとえば、ＵＥ１０４のＴＲＰの全体テスト）が完了したかどうかを判定する。「ｙｅｓ」であれば、プロセスは終了する。「ｎｏ」の場合、プロセスはブロック６０４に戻る。
【００４８】
図７を参照して、本発明の一実施形態によるファントムの特性、無線特性、およびアンテナの特性を得るためにＵＥ１０４によって実行される方法について説明する。ブロック７００において、ＵＥ１０４は、ファントムの特性、無線特性、およびアンテナの特性について、たとえば、テスト装置１０２からの要求を受信する。そうでなければ、ＵＥ１０４は待機する。ブロック７０２において、ＵＥ１０４は、トリガー測定条件を検出すると、ブロック７０４に進む。ブロック７０４において、ＵＥ１０４は、ファントム１１２の１つ以上の特性を取得し、それ自身の無線特性を測定し、ＵＥ１０２の１つ以上のアンテナの特性を測定する。ブロック７０６において、ＵＥ１０４は、ファントムの特性、無線特性、およびアンテナの特性をテスト装置１０２に送信する。いくつかの実施形態では、ＵＥ７０４の構成は、ブロック７０６の後に変更される。たとえば、ＵＥ１０４の構成は、データ通信モードと通話モードとの間で変更されてもよい。あるいは、ＵＥ１０４の位置は、ファントム１１２に対して変更されてもよい。ブロック７０８において、ＵＥ１０４は、更新されたファントムの特性、更新された無線特性、および更新されたアンテナの特性を検出または取得する。ブロック７１０において、テストが完了した場合、プロセスは終了する。テストが完了していない場合、工程はブロック７０６に戻る。
【００４９】
次に、図８を参照して、トリガー測定条件（すなわち、測定基準が満たされたときに発生する可能性があるもの）の一例を説明する。この例では、測定基準は、（図１のＵＥ１０４でありうる）ＵＥ８００が、マクロテクノロジーネットワーク８０２（サービングセル１１４であってもよい）のｅＮＢからのデータ送信８０１の形式でデータを受信し、マクロセルネットワーク８０２から遠ざかり、マイクロテクノロジーネットワーク８０４（テスト装置１０２であってもよい）に近づくことである。したがって、ＵＥ８００が、それがマクロテクノロジーネットワーク８０２から遠ざかり、マイクロテクノロジーネットワーク８０４に近づいていると判断すると、ＵＥ８００は、図７のブロック７０４から７１０で示されるステップによって応答する（すなわちトリガーされる）。
【００５０】
図９は、一実施形態による、ＵＥが送信することができるデータ送信の詳細図を示す。データ伝送には、データが伝送されない伝送周期で分離された直列データ列が含まれる。上記データ列は、ある種のユーザー主導のデータ伝送を表す可能性がある。データが送信されない期間中、ＵＥは、受信する信号の強度を測定することができる。
【００５１】
図１０を参照して、本発明の一実施形態による無線装置の放射電力を決定する方法を説明する。ブロック１０００において、無線装置（たとえば、ＵＥ１０４）および受信アンテナ（たとえば、テスト装置１０２の受信アンテナ）が（たとえば、チャンバ１０１の焦点位置に）配置される。ブロック１００２において、測定周波数は、直接接続された状態（たとえば、ＵＥ１０４とテスト装置１０２とが直接接続された状態）に無線装置で設定され、（ＵＥ１０４とテスト装置１０２の）位置が調整される。ブロック１００４において、無線装置の放射電力の最小値に対する最大値が（たとえば、テスト装置１０２によって）計算される。ブロック１００６において、（ブロック１００４で計算された）最小値に対する最大値の比が（たとえば、テスト装置１０２によって）計算される。ブロック１００８において、送信アンテナ（たとえば、ＵＥ１０４の１つ以上のアンテナ、またはＵＥ１０４の全体）および受信アンテナ（たとえば、テスト装置１０２の１つ以上のアンテナ）が設定される（たとえば、チャンバ１０１の焦点に配置される）。ブロック１０１０において、測定周波数は、直接接続された状態（たとえば、ＵＥ１０４とテスト機器１０２とが直接接続された状態）の無線機器で設定され、（たとえば、ＵＥ１０４とテスト機器１０２の）位置が調整される。ブロック１０１２において、無線装置の放射電力の最小値に対する最大値が（たとえば、テスト装置１０２によって）計算される。ブロック１０１４において、（ブロック１００４で計算された）最小値に対する最大値の比が（たとえば、テスト装置１０２によって）計算される。
【００５２】
最後に、図１１は、ＯＴＡテストシステムの受動的および能動的測定方法の実施形態を示す。
【００５３】
様々な実施形態によれば、本明細書で説明される方法および装置は、取得されたファントム、無線、およびアンテナの特性に基づいて、無線装置をテストするための無線リソースおよび／または構成パラメータを決定する。ファントム、無線、およびアンテナの特性情報が利用可能であることにより、システムはより正確な決定を下すことができ、ひいては放射電力の測定の改善につながる可能性がある。
【００５４】
さらに別の態様では、取得されたファントム、無線およびアンテナの特性を使用して、手または頭部ファントムを使用して無線装置の全放射電力を測定する方法が提供され、以下のステップが実行される。１）測定を実行する。２）ファントム、無線、およびアンテナの特性を要求する。３）ファントム、無線、アンテナの特性を取得する。４）全放射電力に関連してファントム、無線、およびアンテナの特性を決定する。５）全放射電力に関連してファントム、無線、およびアンテナの特性を使用する。６）更新されたファントム、無線、およびアンテナの特性を検出／取得する。７）マルチモードＵＥに測定レポートを送信させる基準に基づいてレポート構成が設定される。８）測定される無線装置および受信アンテナは、回転楕円体を形成する閉空間の焦点位置のように配置される。９）測定される無線装置および受信アンテナを設定する。１０）直接接続状態で測定周波数を設定し、位置を調整する。１１）最小値に対する最大値を計算する。１２）最大値と最小値との比を計算する。１３）基準位置にアンテナおよび受信アンテナを設定する。１４）直接接続状態で測定周波数を設定し、位置を調整する。１５）最大値と最小値との比を計算する。１６）測定される無線装置の全放射電力を計算する。
【００５５】
この態様の様々な実施形態では、測定される無線装置から放射された電波は、無響室または残響チャンバから反射され、受信アンテナ上に集中され、測定される無線装置の全放射電力が測定される。
【００５６】
様々な実施形態では、この方法は、マルチモードＵＥに測定レポートを送信させる基準を作成することを含む。これは、定期的なイベント記述でも単一のイベント記述でもかまわない。
【００５７】
様々な実施形態において、上記の方法は、全放射電力を測定するために、ファントム、無線、およびアンテナの特性を取得するための無線装置を含む。
【００５８】
様々な実施形態では、測定される無線装置は、ファントム、無線、およびアンテナの特性に基づく完全な結合位置としての位置に配置され、受信アンテナは、測定される無線装置から放射される電波を受信し、測定される無線装置の放射電力が計算される。
【００５９】
様々な実施形態では、無線装置はデータ通信モードに保持される。
【００６０】
図面を参照して、１つ以上の実施形態を説明したが、当業者であれば、以下の請求項に定義される本発明の精神および範囲から逸脱することなく、形態および詳細の様々な変更を行うことができることを理解するであろう。たとえば、図５、図６、図７、および図１０のフローチャートのステップは、当業者には明らかである方法で並べ替えることができる。
【図１】
2018509091.tif 000006
【図２】
2018509091.tif 000007
【図３】
2018509091.tif 000008
【図４】
2018509091.tif 000009
【図５】
2018509091.tif 000010
【図６】
2018509091.tif 000011
【図７】
2018509091.tif 000012
【図８】
2018509091.tif 000013
【図９】
2018509091.tif 000014
【図１０】
2018509091.tif 000015
【図１１】
2018509091.tif 000016
【国際調査報告】
2018509091.tif 000017
2018509091.tif 000018